(57)【要約】【課題】ＩＤカードの種類（メーカー、ロット番号等）に応じて印字補正条件を設定する。【解決手段】カード発行装置１は、リーダライタ３０により、カード収納部２０から引き出された生カード５のＩＣチップに記録されたカード種情報を読み出すことによって、カード種を識別する。そして、その識別されたカード種に対応する印字補正条件を印字補正条件テーブル１４１から取得し、印字部４０において、その取得された印字補正条件に基づいて、印字対象のカードに対して印字処理を行う。【選択図】図２
2005262722.tif 000002
【特許請求の範囲】
【請求項１】
カードの種類別に印字補正条件を記憶する記憶手段と、
印字対象のカードの種類を識別する識別手段と、
前記識別手段により識別されたカードの種類に対応する印字補正条件を前記記憶手段から取得する取得手段と、
前記取得手段により取得された印字補正条件に基づいて、前記印字対象のカードに対して印字処理を行う印字手段と、
を備えることを特徴とするカード発行装置。
【請求項２】
前記印字対象のカードにはＩＣチップが備えられ、当該ＩＣチップに予めカードの種類を示す情報が記録されており、
前記識別手段は、前記印字対象のカードに備えられたＩＣチップからカードの種類を読み取ることによって、カードの種類を識別することを特徴とする請求項１に記載のカード発行装置。
【請求項３】
前記識別手段によりカードの種類が識別された後、前記ＩＣチップに記録されたカードの種類を示す情報を消去する消去手段を備えることを特徴とする請求項２に記載のカード発行装置。
【請求項４】
前記ＩＣチップの種類を検出する検出手段と、
前記検出手段により検出されたＩＣチップの種類に応じて、ＩＣチップと通信するための通信コマンドを切り換える切換手段と、
を備えることを特徴とする請求項２又は３に記載のカード発行装置。
【請求項５】
印字対象のカードの種類を識別する識別工程と、
カードの種類別に印字補正条件が記憶された記憶部から、前記識別工程において識別されたカードの種類に対応する印字補正条件を取得する取得工程と、
前記取得工程において取得された印字補正条件に基づいて、前記印字対象のカードに対して印字処理を行う印字工程と、
を含むことを特徴とするカード発行方法。
【請求項６】
前記印字対象のカードにはＩＣチップが備えられ、当該ＩＣチップに予めカードの種類を示す情報が記録されており、
前記識別工程において、前記印字対象のカードに備えられたＩＣチップからカードの種類が読み取られることによって、カードの種類が識別されることを特徴とする請求項５に記載のカード発行方法。
【請求項７】
前記識別工程においてカードの種類が識別された後、前記ＩＣチップに記録されたカードの種類を示す情報を消去する消去工程を含むことを特徴とする請求項６に記載のカード発行方法。
【請求項８】
前記ＩＣチップの種類を検出する検出工程と、
前記検出工程において検出されたＩＣチップの種類に応じて、ＩＣチップと通信するための通信コマンドを切り換える切換工程と、
を含むことを特徴とする請求項６又は７に記載のカード発行方法。
【発明の詳細な説明】
【技術分野】
【０００１】
本発明は、カード発行装置及びカード発行方法に関する。
【背景技術】
【０００２】
近年、社員証、免許証、各種会員証等のＩＤカードを発行するカード発行システムでは、各カードに個人情報（カード番号、氏名、有効期限等）を印字する前に、全てのカードに共通のデザイン等を印刷したカードを作成し、カード発行装置が備える複数のカートリッジに、カードの種類毎に分別して収納している。カードを発行する際は、ホストコンピュータから指定されたカード種のカートリッジに収納されたカードを引き出し、カートリッジ毎に設定された印字補正条件に従って、個人情報の印字処理（印刷、刻印）を行い、印字済みのカードを発行している（例えば、特許文献１参照。）。
【０００３】
最近では、顔画像が印字されたＩＤカードが発行されるようになっている。ＩＤカードに顔写真を印字するには、本人であることを証明するために、顔画像の色再現性を高める必要がある。カラー画像は、通常、Ｙ（Yellow）、Ｍ（Magenta）、Ｃ（Cyan）、Ｋ（blacK）の４色で形成されるが、カード表面とインクの相性によって、特有の色がのりにくいことがあり、色再現性が劣化し、カードの収率を低下させることがある。また、文字部分などは、一色の場合でも、濃度差やムラが発生することがある。このような色再現性の劣化を防止するため、通常、カード変更時にキャリブレーション（テストパターンを処理、測定、フィードバック）が実施されている。
【特許文献１】特開２００３−１５０３４６号公報
【発明の開示】
【発明が解決しようとする課題】
【０００４】
しかしながら、カード変更時のキャリブレーション作業では、カードを使用するため、カードのロスが発生するという問題があった。また、個人情報が印字される前のカードは、上述のように複数のカートリッジにカード種毎に分別されて収納されており、カートリッジ毎に設定された印字補正条件に従って印字処理が行われているが、一つのカートリッジに異なる種類のカードが混在している場合には、間違った印字補正条件で印字処理が行われることがあった。
【０００５】
本発明の課題は、ＩＤカードの種類（メーカー、ロット番号等）に応じて印字補正条件を設定することである。
【課題を解決するための手段】
【０００６】
請求項１に記載の発明は、カードの種類別に印字補正条件を記憶する記憶手段と、印字対象のカードの種類を識別する識別手段と、前記識別手段により識別されたカードの種類に対応する印字補正条件を前記記憶手段から取得する取得手段と、前記取得手段により取得された印字補正条件に基づいて、前記印字対象のカードに対して印字処理を行う印字手段と、を備えることを特徴としている。
【０００７】
請求項２に記載の発明は、請求項１に記載のカード発行装置において、前記印字対象のカードにはＩＣチップが備えられ、当該ＩＣチップに予めカードの種類を示す情報が記録されており、前記識別手段は、前記印字対象のカードに備えられたＩＣチップからカードの種類を読み取ることによって、カードの種類を識別することを特徴としている。
【０００８】
請求項３に記載の発明は、請求項２に記載のカード発行装置において、前記識別手段によりカードの種類が識別された後、前記ＩＣチップに記録されたカードの種類を示す情報を消去する消去手段を備えることを特徴としている。
【０００９】
請求項４に記載の発明は、請求項２又は３に記載のカード発行装置において、前記ＩＣチップの種類を検出する検出手段と、前記検出手段により検出されたＩＣチップの種類に応じて、ＩＣチップと通信するための通信コマンドを切り換える切換手段と、を備えることを特徴としている。
【００１０】
請求項５に記載の発明は、印字対象のカードの種類を識別する識別工程と、カードの種類別に印字補正条件が記憶された記憶部から、前記識別工程において識別されたカードの種類に対応する印字補正条件を取得する取得工程と、前記取得工程において取得された印字補正条件に基づいて、前記印字対象のカードに対して印字処理を行う印字工程と、を含むことを特徴としている。
【００１１】
請求項６に記載の発明は、請求項５に記載のカード発行方法において、前記印字対象のカードにはＩＣチップが備えられ、当該ＩＣチップに予めカードの種類を示す情報が記録されており、前記識別工程において、前記印字対象のカードに備えられたＩＣチップからカードの種類が読み取られることによって、カードの種類が識別されることを特徴としている。
【００１２】
請求項７に記載の発明は、請求項６に記載のカード発行方法において、前記識別工程においてカードの種類が識別された後、前記ＩＣチップに記録されたカードの種類を示す情報を消去する消去工程を含むことを特徴としている。
【００１３】
請求項８に記載の発明は、請求項６又は７に記載のカード発行方法において、前記ＩＣチップの種類を検出する検出工程と、前記検出工程において検出されたＩＣチップの種類に応じて、ＩＣチップと通信するための通信コマンドを切り換える切換工程と、を含むことを特徴としている。
【００１４】
本発明において、「カードの種類」とは、カードのメーカー、ロット番号等により識別されるカードの種類を示す。また、「ＩＣチップの種類」とは、例えば、ＩＤカードのＩＣチップに記録されたＯＳ（Operating System）バージョンを示すデータフラグ等から識別されるＩＣチップの種類を示す。
【発明の効果】
【００１５】
本発明によれば、カード種に応じた印字補正条件でカードに印字処理を行うことにより、最適な印字品質を得ることができ、カード発行における信頼性を高めることができる。
【００１６】
また、ＩＣチップが搭載されたカードの場合、ＩＣチップにカード種情報を予め記録しておき、ＩＣチップに記録されたカード種情報を読み取ることにより、カード種情報を確実に識別することができる。
【００１７】
また、カード種情報の識別後、ＩＣチップからカード種情報を消去するようにしたことにより、ＩＣチップのメモリ領域を有効利用することができる。
【００１８】
更に、ＩＣチップの種類に応じて通信コマンドを切り換えるようにしたことにより、通信エラーが起こることがなく、カードの生産効率を高めることができる。
【発明を実施するための最良の形態】
【００１９】
以下、図面を参照して、本発明の実施形態について詳細に説明する。
まず、本実施形態における構成について説明する。
【００２０】
図１は、本実施形態のカード発行システム１００の全体構成を示す図である。カード発行システム１００は、図１に示すように、カード発行装置１、ホストコンピュータ２、登録端末３、撮影装置４により構成され、各装置は、通信ネットワークＮを介して相互に接続されている。ここで、通信ネットワークＮは、専用線を利用して構築された通信ネットワークであり、ＬＡＮ（Local Area Network）、ＷＡＮ（Wide Area Network）等の様々な回線形態を適用することが可能である。
【００２１】
なお、１台のホストコンピュータ２に通信ネットワークＮを介して接続されるカード発行装置１の台数、登録端末３の台数、撮影装置４の台数は、特に限定されない。
【００２２】
また、本実施形態において対象となるカードは、ＩＣチップを内蔵しているものとする。また、本実施形態では、カードの表面に、氏名、カード番号（会員番号）、有効期限等の個人情報が印字されていない状態のカードを生カードと呼ぶことにする。更に、本実施形態では、生カードのＩＣチップに、予め、カードのメーカー、ロット番号等、カード製造者の管理情報が記録されているものとする。本実施形態では、この管理情報から識別されるカードの種類をカード種と呼ぶことにする。
【００２３】
図１において、カード発行装置１は、ホストコンピュータ２から取得された印字情報に基づいて、カードの表面に個人情報の一部を印字してカードを発行する装置である。ここで、ホストコンピュータ２から取得される印字情報には、カードに印字すべきカード会員（登録申請人）の個人情報（氏名、カード番号、有効期限、顔画像等）と、カードの種類を示す情報が含まれる。このカード発行装置１を構成する各部の詳細については、後に図２及び図３を参照して説明する。
【００２４】
ホストコンピュータ２は、カード発行システム１００を統括的に制御するコンピュータであり、ＤＢ（Data Base）２ａを備えている。このＤＢ２ａには、カード会員の個人情報（氏名、住所、所属、有効期限、年齢、性別、暗証番号、顔画像等）が、カード番号と対応付けて格納されている。また、ＤＢ２ａには、カード会員別に、カード番号、カード種、印字データの各項目が対応付けて格納されている。印字データ項目は、カードに印字すべきデータを格納する。カードに印字すべきデータには、カード会員の個人情報の一部（氏名、カード番号、有効期限、顔画像等）が含まれる。ホストコンピュータ２は、カード番号、カード種、印字データを印字情報としてカード発行装置１に送信し、カードの発行を指示する。
【００２５】
登録端末３は、ＰＣ（Personal Computer）等により構成され、受付係員がキーボードやマウス等の入力デバイスを用いて入力したカードの登録申請人の個人情報（氏名、住所、所属、有効期限、年齢、性別等）を、ホストコンピュータ２に送信し、ホストコンピュータ２に対し、カードの会員登録を要請する。撮影装置４は、カードの登録申請人の顔画像を撮影し、顔画像の電子データをホストコンピュータ２に送信する。
【００２６】
次に、本発明の実施形態に係るカード発行装置１の構成について説明する。図２に、カード発行装置１の断面図を示す。カード発行装置１の断面図に示された各部は、図３に示すカード発行部１６の構成を示すものである。カード発行装置１は、図２に示すように、カード収納部２０、リーダライタ３０、印字部４０、カード落下部５０、未使用カードスタッカ６０、コーティング部７０、印字済カードスタッカ８０により構成される。
【００２７】
カード収納部２０は、生カードを収納するための３つのホッパーＨＰ１、ＨＰ２、ＨＰ３を有し、各ホッパーには、生カードが印字面を上にして鉛直方向に積み重ねられて収納される。生カードは、種類毎に異なるホッパーに収納される。即ち、ホッパーＨＰ１にはカード種αの生カードが収納され、ホッパーＨＰ２にはカード種βの生カードが収納され、ホッパーＨＰ３にはカード種γの生カードが収納される。カード収納部２０の下方には、搬送ベルトが設けられ、後述のＣＰＵ１０（図３参照）の制御信号に従って、ホッパーＨＰ１、ＨＰ２、ＨＰ３の何れか一つから生カード５が１枚搬送ベルト上に引き出され、印字部４０に向けて搬送される。
【００２８】
リーダライタ３０は、カード収納部２０と印字部４０の間に設けられ、カード収納部２０から引き出されて搬送された生カード５のＩＣチップから非接触で電子データを読み取ったり、ＩＣチップへ非接触で電子データを書き込む装置である。リーダライタ３０は、生カード５のＩＣチップから、ＩＣチップの種類を示す情報を読み取り、読み取られたＩＣチップの種類を示す情報をＣＰＵ１０に出力する。ここで、ＩＣチップの種類とは、例えば、ＯＳバージョンを示すデータフラグ等である。
【００２９】
また、リーダライタ３０は、生カード５のＩＣチップからカード種情報を読み取り、読み取られたカード種情報をＣＰＵ１０に出力する。また、リーダライタ３０は、ＣＰＵ１０からの制御信号に従って、生カード５のＩＣチップからカード種情報を消去する。更に、リーダライタ３０は、ＣＰＵ１０からの制御信号に従って、生カード５のＩＣチップに、カード会員の個人情報（カード番号、氏名、住所、所属、有効期限、年齢、性別等）を書き込む。
【００３０】
印字部４０は、Ｙ（Yellow）色画像形成ユニット４１、Ｍ（Magenta）色画像形成ユニット４２、Ｃ（Cyan）色画像形成ユニット４３、Ｋ（blacK）色画像形成ユニット４４を有し、下方に搬送ベルトが設けられている。印字部４０は、搬送ベルトにより図面の左方向に生カード５を搬送させ、搬送中の生カード５に各画像形成ユニットにより個人情報を印字する。
【００３１】
カード落下部５０は、フラップ５１、フラップ５２、カメラ５３を備えている。カメラ５３は、カード落下部５０の上部に備えられており、印字部４０から搬送された印字済みのカードの印字面を撮影し、撮影により得られた画像データを画像判定回路（図示略）に出力する。画像判定回路では、カード表面の画像データから、印字のかすれの有無等を判定する。フラップ５１及び５２は、印字部４０から搬送された印字済みのカードの印字面が上に向けて落下するように動作する。画像判定回路により、印字済みのカードに印字のかすれがないと判定された場合は、印字済みカードは、フラップ５１及び５２の動作により落下し、コーティング部７０に搬送される。また、画像判定回路により、印字済みのカードに印字のかすれがあると判定された場合は、印字済みカードは、フラップ５１及び５２の動作により、カード落下部５０に隣接して設けられた未使用カードスタッカ６０に排出される。
【００３２】
コーティング部７０は、印字済みカードに、フィルム状の保護シートをコーティングし、印字済カードスタッカ８０に向けて排出する。
【００３３】
次に、カード発行装置１の制御系の構成について説明する。図３に、カード発行装置１の内部構成を示す。カード発行装置１は、図３に示すように、ＣＰＵ（Central Processing Unit）１０、入力部１１、表示部１２、通信部１３、記憶部１４、ＲＡＭ（Random Access Memory）１５からなる制御系と、カード発行部１６により構成されている。
【００３４】
ＣＰＵ１０は、記憶部１４に記憶された各種制御プログラムを読み出してＲＡＭ１５内に展開し、それらの制御プログラムに従ってカード発行装置１の各部を制御する。以下、ＣＰＵ１０の制御動作について説明する。
【００３５】
ＣＰＵ１０は、ホストコンピュータ２から取得された印字情報に基づいて、カードを発行するカード発行処理を実行する（図５参照）。このカード発行処理において、ＣＰＵ１０は、ホストコンピュータ２から取得された印字情報からカード種情報を抽出し、カード収納部２０に対し、その抽出された種類のカードの引き出しを指示する信号を出力する。また、ＣＰＵ１０は、カード発行部１６のリーダライタ３０から、生カード５に備えられたＩＣチップの種類を示す情報（例えば、ＯＳバージョンを示すデータフラグ等）が入力されると、そのＩＣチップの種類に適合した通信コマンド（通信プロトコル）に切り換え、以降のＩＣチップとの通信を、その切り換えられた通信コマンドで行う。
【００３６】
更に、ＣＰＵ１０は、リーダライタ３０から入力されたカード種情報によって、印字対象の生カード５のカード種を識別する。カード種の識別後、ＣＰＵ１０は、リーダライタ３０に対し、印字対象の生カード５のＩＣチップからカード種情報を消去するように指示する信号を出力する。また、ＣＰＵ１０は、識別されたカード種情報に対応する印字補正条件を印字補正条件テーブル１４１から取得し、カード発行部１６に対し、その取得された印字補正条件に基づく印字処理を指示する信号を出力する。
【００３７】
入力部１１は、文字入力キー、テンキー、カーソルキー及び各種機能キーを備えたキー入力装置を備え、キー入力装置の操作による操作信号をＣＰＵ１０に出力する。なお、入力部１１は、表示部１２の表示画面上を覆うように重畳して設けられたタッチパネルを含む構成としてもよい。タッチパネルは、電磁誘導式、磁気歪式、感圧式等の読み取り原理でタッチ指示された座標を検出し、検出した座標を位置信号としてＣＰＵ１０に出力する。
【００３８】
表示部１２は、ＬＣＤ（Liquid Crystal Display）、ＣＲＴ（Cathode Ray Tube）等の表示画面を備え、ＣＰＵ１０から入力される表示信号に従って所要の表示処理を行う。
【００３９】
通信部１３は、ＬＡＮアダプタ等によって構成され、通信ネットワークＮを介して、ホストコンピュータ２等の外部装置と通信を行うための制御を行う。
【００４０】
記憶部１４は、ＣＰＵ１０で実行される各種プログラム、これらのプログラムで使用されるデータを格納している。この記憶部１４は、印字補正条件テーブル１４１を有する。印字補正条件テーブル１４１は、図４に示すように、カード種（メーカー、ロット番号等）毎に、カード種に適合した印字補正条件を格納したものである。
【００４１】
ＲＡＭ１５は、ＣＰＵ１０により実行される各種制御プログラムや各種アプリケーションプログラムをプログラム格納エリアに展開する。また、ＲＡＭ１５は、入力データ及び上記の制御処理プログラムの実行時に生じる処理結果等のデータをワークエリアに一時的に格納する。
【００４２】
カード発行部１６は、図２に示したように、カード収納部２０、リーダライタ３０、印字部４０、カード落下部５０、未使用カードスタッカ６０、コーティング部７０、印字済カードスタッカ８０により構成される。カード発行部１６の各部については、上述で説明済みであるため、ここでの説明は省略する。
【００４３】
次に、本実施形態における動作について説明する。
図５のフローチャートを参照して、カード発行装置１により実行されるカード発行処理について説明する。
【００４４】
まず、ホストコンピュータ２から印字情報が取得され（ステップＳ１）、その取得された印字情報から、カード種が抽出される。次いで、カード収納部２０の各ホッパーのうち、抽出されたカード種の生カードを収納するホッパーから生カード５が引き出され（ステップＳ２）、リーダライタ３０に向けて搬送ベルトにより生カード５の搬送が開始される。
【００４５】
リーダライタ３０に生カード５が搬送されると、リーダライタ３０により、その生カード５のＩＣチップとの通信により、ＩＣチップの種類が検出され（ステップＳ３）、検出された種類のＩＣチップに適合する通信プロトコル（通信コマンド）に切り換えられる（ステップＳ４）。
【００４６】
次いで、生カード５のＩＣチップからカード種情報（メーカー、ロット番号等）が読み出され（ステップＳ５）、印字補正条件テーブル１４１から、ステップＳ５で読み出されたカード種情報に対応する印字補正条件が取得される（ステップＳ６）。
【００４７】
次いで、リーダライタ３０により、生カード５のＩＣチップに記録されたカード種情報が消去されるとともに、そのＩＣチップに、ステップＳ１で取得された印字情報に基づいて、カード会員の個人情報が書き込まれ（ステップＳ７）、生カード５は印字部４０に搬送される。
【００４８】
印字部４０では、搬送された生カードの表面に、ホストコンピュータ２から取得された印字情報に基づいてカード会員の個人情報が印字される（ステップＳ８）。印字部４０で印字処理が施された印字済みカードは、カード落下部５０に搬送され、カメラ５３により、印字済みカードの印字面が撮影される。
【００４９】
次いで、画像判定回路（図示略）により、印字済みカードの撮影により得られた画像データから、印字のかすれがあるか否かが判定されることにより、印字済みカードの検品が行われる（ステップＳ９）。画像判定回路により、印字のかすれがあると判定された場合（ステップＳ９；ＮＯ）、印字済みカードを未使用カードスタッカ６０に排出する不良処理が行われ（ステップＳ１０）、本カード発行処理が終了する。
【００５０】
画像判定回路により、印字のかすれがないと判定された場合（ステップＳ９；ＹＥＳ）、印字済みカードに、コーティング部７０によりコーティング処理が施される（ステップＳ１１）。コーティング処理後、印字済みカードは、印字済カードスタッカ８０に排出され、本カード発行処理が終了する。
【００５１】
なお、カードのＩＣチップにカード種情報が記録されていなかった場合や、印字補正条件テーブル１４１に、該当するカード種の印字補正条件が登録されていなかった場合は、デフォルトの印字条件で印字するようにする。又は、印字補正条件テーブル１４１に印字補正条件が登録されていなかった場合、表示部１２に、印字補正条件が未登録である旨のメッセージを表示させて、ユーザに登録を促すことが望ましい。
【００５２】
以上のように、本実施形態のカード発行装置１によれば、カード種を識別する機能を設け、識別されたカード種に応じた印字補正条件でカードに印字処理を行うことにより、最適な印字品質を得ることができる。特に、ホッパーに、異なる種類のカードが混在していたとしても、カード種に応じた適切な印刷処理を行うことができる。
【００５３】
また、キャリブレーションが不要になるため、キャリブレーションに伴うカードのロスがなくなる。更に、キャリブレーションを行うための装置が不要になり、製造コストを削減することができる。
【００５４】
更に、リーダライタ３０により、生カードのＩＣチップに記録されたカード種情報を読み取るようにしたことにより、生カードのカード種情報を確実に識別することができる。また、カード種情報の識別後、ＩＣチップからカード種情報を消去するようにしたことにより、ＩＣチップのメモリ領域を有効利用することができる。更に、ＩＣチップの種類に応じて通信コマンド（通信プロトコル）を切り換えるようにしたことにより、通信エラーが起こることがなく、カードの生産効率を高めることができる。
【００５５】
なお、本実施形態における記述内容は、本発明の趣旨を逸脱しない範囲で適宜変更可能である。
【００５６】
例えば、上述の実施形態では、リーダライタ３０によってＩＣチップからカード種を読み出すことによってカード種を識別するようにしたが、カード種の識別手段はこれに限定されない。例えば、カードの縁に、カード種毎に特徴的な凹形状を設け、この凹形状をセンサー（接触式、非接触式）により検出することによってカード種を識別するようにしてもよい。また、カード種毎に、カードの表面に色彩的特徴を有する部分を印刷しておき、光学センサーを用いてカード表面の色を検出することによってカード種を識別するようにしてもよい。
【００５７】
また、上述の実施形態では、ＩＣチップのＯＳバージョンを示すデータフラグ等を読み取ることによってＩＣチップの種類を検出して、検出された種類のＩＣチップに適合する通信プロトコルに切り換えるようにしたが、通信プロトコルの切り換え方法はこれに限定されない。例えば、予め設定した複数の異なるプロトコルによる通信を同一のＩＣチップに対して順次行い、通信に成功したプロトコルに切り換えるようにしてもよい。
【図面の簡単な説明】
【００５８】
【図１】カード発行システム１００の全体構成を示す図。
【図２】本発明の実施形態に係るカード発行装置の断面図。
【図３】本発明の実施形態に係るカード発行装置の制御系の主要部構成を示すブロック図。
【図４】印字補正条件テーブルのデータ構成を示す図。
【図５】本実施形態のカード発行装置１により実行されるカード発行処理を示すフローチャート。
【符号の説明】
【００５９】
１  カード発行装置
１０  ＣＰＵ
１１  入力部
１２  表示部
１３  通信部
１４  記憶部
１４１  印字補正条件テーブル
１５  ＲＡＭ
１６  カード発行部
２  ホストコンピュータ
２ａ  ＤＢ（Data Base）
３  登録端末
４  撮影装置
２０  カード収納部
３０  リーダライタ
４０  印字部
５０  カード落下部
６０  未使用カードスタッカ
７０  コーティング部
８０  印字済カードスタッカ
１００  カード発行システム
【図１】
2005262722.tif 000003
【図２】
2005262722.tif 000004
【図３】
2005262722.tif 000005
【図４】
2005262722.tif 000006
【図５】
2005262722.tif 000007